(57)【特許請求の範囲】
【請求項１】
少なくとも多重再生パスを有するビデオデータの再生を管理するためのデータ構造を有する光ディスクであって、
あるタイトルに対するビデオデータを格納する少なくとも一つのクリップファイルと、
再生パス情報と少なくとも１つのエントリーポイントマップを含む管理情報とを有し、
前記タイトルは、単一再生パスのための第１のセグメントと多重再生パスのための第２のセグメントを有し、
前記ビデオデータは、ビデオデータパケットとして記録され、かつ複数のグループにグループ化され、前記グループは互いにインターリーブされ、
前記再生パス情報は、前記多重再生パスの再生パスの数を示す情報を有し、
前記第２のセグメントに対する各エントリーポイントマップは、前記多重再生パスの１つと関連づけられ、
前記エントリーポイントマップは、前記ビデオデータ内の少なくとも１つのエントリーポイントを識別し、かつプレゼンテーション時間を前記ビデオデータ内のアドレスに連結する
ことを特徴とする光ディスク。
【請求項２】
前記管理情報は、少なくとも１つの再生アイテムを含み、
前記再生アイテムは、前記ビデオデータの再生間隔を識別するためのＩＮ−ｐｏｉｎｔとＯＵＴ−ｐｏｉｎｔとを示し、かつ前記再生パス情報を含む
ことを特徴とする請求項１記載の光ディスク。
【請求項３】
前記管理情報は、少なくとも１つの管理ファイルに含まれ、
前記クリップファイルの拡張子は、前記少なくとも１つの管理ファイルの拡張子とは異なる
ことを特徴とする請求項１または２記載の光ディスク。
【請求項４】
前記エントリーポイントマップに含まれる前記プレゼンテーション時間と前記アドレスの情報は、時間的に整列されていることを特徴とする請求項３記載の光ディスク。
【請求項５】
各ビデオデータパケットは、ビデオデータパケット同士を区別するパケット番号を有し、
前記少なくとも１つのエントリーポイントマップは、前記ビデオデータパケットのパケット番号を識別することによって、連係する再生パスに対する前記ビデオデータを識別する
ことを特徴とする請求項３記載の光ディスク。
【請求項６】
前記データ構造は、多重再生パスを有するビデオデータをシームレスに再生するために使用できる
ことを特徴とする請求項１記載の光ディスク。
【請求項７】
前記ビデオデータパケットのグループは互いにインターリーブされて、ビデオデータをシームレスに再生する
ことを特徴とする請求項６記載の光ディスク。
【請求項８】
各グループの１番目のビデオデータパケットは、Ｉ−Ｐｉｃｔｕｒｅの開始点である
ことを特徴とする請求項１記載の光ディスク。
【請求項９】
前記第２のセグメントに対するビデオデータの異なる再生パスは、そのセグメントに対するビデオデータの異なるカメラ角度に対応する
ことを特徴とする請求項１記載の光ディスク。
【請求項１０】
少なくとも、多重再生パスを有するビデオデータの再生を管理するためのデータ構造を光ディスクに記録する方法において、
あるタイトルに対するビデオデータを格納する、少なくとも１つのクリップファイルを前記光ディスク上に記録するステップと、
再生パス情報と少なくとも１つのエントリーポイントマップを含む管理情報を前記光ディスクに記録するステップと、
を含み、
前記タイトルは、単一再生パスのための第１のセグメントと多重再生パスのための第２のセグメントを有し、
前記ビデオデータは、ビデオデータパケットとして記録され、前記多重再生パスの前記ビデオデータパケットは、複数のグループにグループ化され、前記グループは、相互にインターリーブされ、
前記再生パス情報は、前記多重再生パスの再生パス数を示す情報を含み、
前記第２のセグメントに対する各エントリーポイントマップは、前記多重再生パスの１つと関連づけられ、
前記エントリーポイントマップは、前記ビデオデータ内の少なくとも１つのエントリーポイントを識別し、かつプレゼンテーション時間を前記ビデオデータ内のアドレスに連結する
ことを特徴とする方法。
【請求項１１】
前記管理情報は、少なくとも１つの再生アイテムを有し、
前記再生アイテムは、前記ビデオデータの再生間隔を識別するためのＩＮ−ｐｏｉｎｔとＯＵＴ−ｐｏｉｎｔとを示し、かつ前記再生パス情報を含む
ことを特徴とする請求項１０記載の方法。
【請求項１２】
前記管理情報は、少なくとも１つの管理ファイルに含まれ、
前記クリップファイルの拡張子は、前記少なくとも１つの管理ファイルの拡張子とは異なる
ことを特徴とする請求項１０または１１に記載の方法。
【請求項１３】
光ディスクに記録された少なくとも多重再生パスを有するビデオデータの再生を管理するためのデータ構造を再生する方法において、
再生パス情報と少なくとも１つのエントリーポイントマップを含む管理情報を前記光ディスクから読みとるステップと、
あるタイトルに対するビデオデータを格納する少なくとも１つのクリップファイルを前記光ディスクから再生するステップとを有し、
前記タイトルは、単一再生パスのための第１のセグメントと前記多重再生パスのための第２のセグメントを有し、
前記ビデオデータは、ビデオデータパケットとして記録され、前記多重再生パスの前記ビデオデータパケットは、複数のグループにグループ化され、前記グループは、相互にインターリーブされ、
前記再生パス情報は、前記多重再生パスの再生パス数を示す情報を含み、
前記第２のセグメントに対する各エントリーポイントマップは、前記多重再生パスの１つと関連づけられ、
前記エントリーポイントマップは、前記ビデオデータ内の少なくとも１つのエントリーポイントを識別し、かつプレゼンテーション時間を前記ビデオデータ内のアドレスに連結する
ことを特徴とする方法。
【請求項１４】
前記管理情報は、少なくとも１つの再生アイテムを有し、
前記再生アイテムは、前記ビデオデータの再生間隔を識別するためのＩＮ−ｐｏｉｎｔとＯＵＴ−ｐｏｉｎｔとを示し、かつ前記再生パス情報を含む
ことを特徴とする請求項１３記載の方法。
【請求項１５】
前記管理情報は、少なくとも１つの管理ファイルに含まれ、
前記クリップファイルの拡張子は、前記少なくとも１つの管理ファイルの拡張子とは異なることを特徴とする請求項１３または１４に記載の方法。
【請求項１６】
少なくとも多重再生パスを有するビデオデータの再生を管理するためのデータ構造を光ディスクに記録する装置において、
前記光ディスクにデータを記録するように構成された記録装置と、
前記記録装置に動作可能に結合されて、あるタイトルに対するビデオデータを格納する少なくとも１つののクリップファイルを前記光ディスク上に記録するように前記記録装置を制御するように構成されたコントローラと、
を備え、
前記タイトルは、単一再生パスのための第１のセグメントと多重再生パスのための第２のセグメントとを有し、
前記ビデオデータはビデオデータパケットとして記録され、前記多重再生パスの前記ビデオデータパケットは複数のグループにグループ化され、前記グループは相互にインターリーブされ、
前記コントローラは、再生パス情報と少なくとも１つのエントリーポイントマップを含む管理情報を前記光ディスクに記録するように前記記録装置を制御するように構成され、
前記再生パス情報は、前記多重再生パスの再生パス数を示す情報を含み、
前記第２のセグメントに対する各エントリーポイントマップは、前記多重再生パスの１つに関連づけられ、
前記エントリーポイントマップは、前記ビデオデータ内の少なくとも１つのエントリーポイントを識別し、かつプレゼンテーション時間を前記ビデオデータ内のアドレスに連結する
ことを特徴とする装置。
【請求項１７】
前記管理情報は、少なくとも１つの再生アイテムを含み、
前記再生アイテムは、前記ビデオデータの再生間隔を識別するためのＩＮ−ｐｏｉｎｔとＯＵＴ−ｐｏｉｎｔとを示し、かつ前記再生パス情報を含む
ことを特徴とする請求項１６記載の装置。
【請求項１８】
前記管理情報は、少なくとも１つの管理ファイルに含まれ、
前記クリップファイルの拡張子は、前記少なくとも１つの管理ファイルの拡張子とは異なる
ことを特徴とする請求項１６または１７に記載の装置。
【請求項１９】
前記コントローラに動作可能に結合され、少なくとも多重再生パスを有するビデオデータをエンコードするように構成されたエンコーダをさらに有する
ことを特徴とする請求項１６記載の装置。
【請求項２０】
前記記録装置は、前記ビデオデータおよび前記管理情報を前記光ディスクに記録するように構成されたピックアップを備える
ことを特徴とする請求項１６記載の装置。
【請求項２１】
光ディスクに記録された、少なくとも多重再生パスを有するビデオデータの再生を管理するためのデータ構造を再生する装置において、
前記光ディスクに記録されたデータを再生するように構成された再生装置と、
前記再生装置に動作可能に結合され、再生パス情報および少なくとも１つのエントリーポイントマップを含んだ管理情報を前記光ディスクから読み取るように前記再生装置を制御するように構成されたコントローラと、
から構成され、
前記コントローラは、あるタイトルに対するビデオデータを格納する少なくとも１つのクリップファイルを前記光ディスクから再生するように構成され、
前記タイトルは、単一再生パスのための第１のセグメントと多重再生パスのための第２のセグメントを有し、
前記ビデオデータは、ビデオデータパケットとして記録され、前記多重再生パスの前記ビデオデータパケットは、複数のグループにグループ化され、前記グループは、相互にインターリーブされ、
前記再生パス情報は、多重再生パス内の再生パス数を示す情報を含み、
前記第２のセグメントに対する各エントリーポイントマップは、前記多重再生パスの１つに関連づけられ、
前記エントリーポイントマップは、前記ビデオデータ内の少なくとも１つのエントリーポイントを識別し、かつプレゼンテーション時間を前記ビデオデータ内のアドレスに連結する
ことを特徴とする装置。
【請求項２２】
前記管理情報は、少なくとも１つの再生アイテムを有し、
前記再生アイテムは、前記ビデオデータの再生間隔を識別するためのＩＮ−ｐｏｉｎｔとＯＵＴ−ｐｏｉｎｔとを示し、かつ前記再生パス情報を含む
ことを特徴とする請求項２１記載の装置。
【請求項２３】
前記管理情報は、少なくとも１つの管理ファイルに含まれ、
前記クリップファイルの拡張子は、前記少なくとも１つの管理ファイルの拡張子とは異なる
ことを特徴とする請求項２１または２２に記載の装置。
【請求項２４】
前記再生装置は、前記ビデオデータを再生し、前記管理情報を前記光ディスクから読み取るように構成されたピックアップを備える
ことを特徴とする請求項２１記載の装置。
【発明の詳細な説明】
【技術分野】
【０００１】
本発明は、多重再生パスを有するビデオデータの再生を管理するためのデータ構造を有する光ディスク、多重再生パスを有するビデオデータを再生または記録するための装置及び方法に関する。
【背景技術】
【０００２】
最近、高画質のビデオデータと高音質のオーディオデータを高容量記録できる新しい高密度再生専用または再記録可能光ディスクに対する規格化の作業が急速に展開されて、再記録可能ブルーレイディスク（ＢＤ−ＲＥ）のような新しい光ディスクと関連した製品がまもなく商用化されることが期待されている。
【０００３】
図１は、再記録可能ブルーレイディスク（ＢＤ−ＲＥ）のファイル構造を示したものである。ファイル構造またはデータ構造はＢＤ−ＲＥに記録されるビデオオーディオデータの再生を管理するために用いられる。図１に示したように、データ構造は少なくとも一つの「ＢＤＡＶ」ディレクトリを有するルートディレクトリを含む。「ＢＤＡＶ」ディレクトリには「ｉｎｆｏ．ｂｄａｖ」、「ｍｅｎｕ．ｔｉｄｘ」、「ｍａｒｋ．ｔｉｄｘ」、「＊．ｒｐｌｓ」、「＊．ｖｐｌｓ」のような再生リストファイルが格納されるＰＬＡＹＬＩＳＴサブディレクトリ、「＊．ｃｌｐｉ」のようなクリップ情報ファイルが格納されるＣＬＩＰＩＮＦサブディレクトリ、クリップ情報ファイルに対応するＭＰＥＧ−２フォーマットのＡ／Ｖストリームクリップファイルが格納されるＳＴＲＥＡＭサブディレクトリが含まれる。図１は、ディスクのデータ構造だけでなくディスクの領域をも示している。例えば、「ｉｎｆｏ．ｂｄａｖ」のような一般情報ファイルはディスクの一般情報領域に格納される。
【０００４】
図１に図示したＢＤ−ＲＥのデータ構造とディスクフォーマットは広く知られていて容易に利用できるので、以後ファイル構造に対しては簡単に説明する。
【０００５】
前述したように、ＳＴＲＥＡＭディレクトリにはクリップ（Ｃｌｉｐ）と呼ばれるＭＰＥＧ−２フォーマットのＡ／Ｖストリームファイルが含まれており、またブリッジ−クリップＡ／Ｖストリームファイル（Ｂｒｉｄｇｅ−ｃｌｉｐ Ａ／Ｖ ｓｔｒｅａｍ ｆｉｌｅ）という特別な形態のクリップも含まれることがある。ブリッジ−クリップはクリップから選択された二つ以上の再生区間をシームレスに連結するために使われるもので、一般にクリップに比べてサイズが小さい。Ａ／Ｖストリームにはビデオオーディオデータに対するソースパケットが含まれる。例えば、ビデオオーディオデータのソースパケットはヘッダーと伝送パケットを含む。一つのソースパケットには自身にアクセスするためのアドレスの役割を果たすソースパケット番号（ＳＰＮ）が含まれ、そのソースパケット番号は一般に順番に番号が割り当てられる。伝送パケットには一つのパケット識別番号（ＰＩＤ）が含まれる。ＰＩＤは伝送パケットが属する一連の伝送パケットを識別する。その一連の伝送パケットにある各伝送パケットはＰＩＤが同じである。以後、この一連の伝送パケットを伝送パケットシーケンスという。
【０００６】
ＣＬＩＰＩＮＦディレクトリは各Ａ／Ｖストリームファイルに連係するクリップ情報ファイルを含む。そのクリップ情報ファイルは連係するＡ／Ｖストリームの類型、シーケンス情報、プログラム情報、タイミング情報を指示する。シーケンス情報は到着時間基準（ＡＴＣ）シーケンスとシステム時間基準（ＳＴＣ）シーケンスを記述する。例えば、シーケンス情報はシーケンスの数、各シーケンスの開始と終わりの時間情報、各シーケンスで一番目ソースパケットのアドレス、そして各シーケンスにある伝送パケットのＰＩＤを示す。プログラムのコンテンツが続く伝送パケットシーケンスはプログラムシーケンスと呼ばれる。プログラム情報はプログラムシーケンスの個数、各プログラムシーケンスの開始アドレス、そしてプログラムシーケンスにある伝送パケットのＰＩＤを示す。
【０００７】
タイミング情報は特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。ＣＰＩの一形態がエントリーポイントマップ（Ｅｎｔｒｙ  Ｐｏｉｎｔ（ＥＰ）Ｍａｐ）である。このＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【０００８】
ＰＬＡＹＬＩＳＴディレクトリには一つ以上の再生リストファイルがある。再生リストは再生のためのクリップを容易に編集したり、組み合わせるために導入された概念である。再生リストファイルはクリップにある再生区間（Ｐｌａｙｉｎｇ Ｉｎｔｅｒｖａｌｓ）の集合であって、各再生区間は再生アイテム（Ｐｌａｙｉｔｅｍ）と呼ばれる。再生リストファイルは再生リストを形成する各再生アイテムを識別して、各再生アイテムは、クリップの時間軸上の位置（例えば、ＡＴＣまたはＳＴＣ基準でプレゼンテーションタイムスタンプ（ＰＴＳ））を示すＩＮ−ｐｏｉｎｔとＯＵＴ−ｐｏｉｎｔの対である。換言すれば、再生リストファイルは再生アイテムを識別し、各再生アイテムは一つのクリップまたはその一部を指示してクリップと連係するクリップ情報ファイルを識別する。クリップ情報ファイルは再生アイテムをソースパケットのクリップに連結するために使われる。
【０００９】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見なされるので、概念的にディスク上でクリップの一部を参照することと同等とされる。仮想再生リストはクリップとブリッジ−クリップをすべて用いることができるので、実再生リストの概念は仮想再生リストと並存しない。
【００１０】
「ｉｎｆｏ．ｂｄａｖ」ファイルは光ディスクに記録されるＡ／Ｖストリームの再生を管理する一般的な情報を提供する一般情報ファイルであって、さらに詳細には同じＢＤＡＶディレクトリのＰＬＡＹＬＩＳＴディレクトリにある再生リストのファイル名を識別する再生リスト目録を含む。
【００１１】
「ｍｅｎｕ．ｔｉｄｘ」、「ｍｅｎｕ．ｔｄｔ１」、「ｍｅｎｕ．ｔｄｔ２」ファイルはメニューｔｈｕｍｂｎａｉｌｓと関連した情報を格納する。「ｍａｒｋ．ｔｉｄｘ」、「ｍａｒｋ．ｔｄｔ１」、「ｍａｒｋ．ｔｄｔ２」ファイルはマークサムネイルと関連した情報を格納する。このようなファイルは本発明と直接的な関連がないので、これ以上詳細な説明は省略する。
【発明の開示】
【発明が解決しようとする課題】
【００１２】
しかし、ビデオオーディオデータが多重再生パスを有する場合には、そのビデオオーディオデータの再生を管理するための効率的な解決策がまだ用意されていない。
【課題を解決するための手段】
【００１３】
本発明による光ディスクは、少なくとも多重再生パスを有するビデオデータの再生を管理するためのデータ構造を有する光ディスクであって、あるタイトルに対するビデオデータを格納する少なくとも一つのクリップファイルと、再生パス情報と少なくとも１つのエントリーポイントマップ（ＥＰ  ｍａｐ）を含む管理情報とを有し、さらに次のような特徴を有するものである。
【００１４】
すなわち、前記タイトルは、単一再生パスのための第１のセグメントと多重再生パスのための第２のセグメントを有する。前記ビデオデータは、ビデオデータパケットとして記録され、かつ複数のグループにグループ化され、前記グループは互いにインターリーブされる。
【００１５】
前記再生パス情報は、前記多重再生パスの再生パスの数を示す情報を有し、前記第２のセグメントに対する各エントリーポイントマップは、前記多重再生パスの１つと関連づけられる。前記エントリーポイントマップは、前記ビデオデータ内の少なくとも１つのエントリーポイントを識別し、かつプレゼンテーション時間（Ｐｒｅｓｅｎｔａｔｉｏｎ Ｔｉｍｅ）を前記ビデオデータ内のアドレスに連結する。本発明の一実施態様では、前記エントリーポイントマップに含まれる前記プレゼンテーション時間と前記アドレスの情報は、時間的に整列されている。本発明の一実施態様では、前記セグメントにある少なくともビデオデータを識別する一つのエントリーポイントマップをクリップ情報ディレクトリ領域に含む。
【００１６】
本発明の他の実施態様は、光ディスクのパス管理領域にパス管理情報を格納する。パス管理情報は少なくともセグメントの各再生パスを識別する。
【００１７】
本発明のさらに他の実施態様では、少なくとも一つの多重再生パスセグメントを含むビデオデータのタイトルが一つのクリップファイルに記録される。
【発明を実施する為の最良の形態】
【００１８】
以下、本発明に対する望ましい実施形態に対して、添付した図面を参照しながら詳細に説明する。
【００１９】
本発明による高密度光ディスク、例えばＢＤ−ＲＯＭは、図２に示したように、ビデオオーディオデータの再生を管理するファイルまたはデータ構造を有する。図２のような本発明によるデータ構造は様々な面で図１に図示したＢＤ−ＲＥのデータ構造と同じである。したがって、同じ部分は詳細な説明を省略する。
【００２０】
図２に示したように、ルートディレクトリには少なくとも一つのＤＶＰディレクトリがある。ＤＶＰディレクトリには、一般情報ファイル（ｉｎｆｏ．ｄｖｐ）、メニューファイル（ｍｅｎｕ．ｔｉｄｘ、ｍｅｎｕ．ｔｄｔ１等）、実再生リストファイル（＊．ｒｐｌｓ）と仮想再生リストファイル（＊．ｖｐｌｓ）が格納されるＰＬＡＹＬＩＳＴディレクトリ、クリップ情報ファイル（＊．ｃｌｐｉ）が格納されるＣＬＩＰＩＮＦディレクトリ、さらにクリップ情報ファイルに対応するＭＰＥＧ−２フォーマットのＡ／Ｖストリームクリップファイル（＊．ｍ２ｔｓ）が格納されるＳＴＲＥＡＭディレクトリが含まれる。
【００２１】
ＳＴＲＥＡＭディレクトリにはクリップと呼ばれるＭＰＥＧ−２フォーマットのＡ／Ｖストリームクリップファイルが含まれ、また、ブリッジ−クリップＡ／Ｖストリームファイルと呼ばれる特別な形態のクリップも含まれる。ブリッジ−クリップはクリップのうちから選択された二つ以上の再生区間を滑らかに連結するために使われ、一般にクリップに比べてサイズが小さい。Ａ／Ｖストリームにはビデオオーディオデータに対するソースパケットが含まれる。例えば、ビデオオーディオデータのソースパケットにはヘッダーと伝送パケットが含まれる。一つのソースパケットには自身に接近するためのアドレスの役割を果たすソースパケット番号ＳＰＮが含まれる。ソースパケット番号は一般に順番に番号が割り当てられる。伝送パケットには一つのパケットＩＤ（ＰＩＤ）が含まれる。そのＰＩＤは伝送パケットが属する伝送パケットシーケンスを識別する。伝送パケットシーケンスにある各伝送パケットはＰＩＤが同じである。
【００２２】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を示す。シーケンス情報は到着時間基準ＡＴＣシーケンスとシステム時間基準ＳＴＣシーケンスを記述する。例えば、シーケンス情報はシーケンスの数、各シーケンスの開始と終わり時間情報、各シーケンスの一番目のソースパケットのアドレス、そして各シーケンスにある伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを指示する。
【００２３】
タイミング情報は特徴ポイント情報（ＣＰＩ）と呼ばれる。このＣＰＩの一形態がＥＰマップである。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【００２４】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテム（Ｐｌａｙｉｔｅｍ）と呼ばれる。再生リストファイルは再生リストを形成する各再生アイテムを識別する。各再生アイテムはクリップの時間軸上の位置（例えば、ＡＴＣまたはＳＴＣ基準でプレゼンテーションタイムスタンプ）を指示するＩＮ−ｐｏｉｎｔとＯＵＴ−ｐｏｉｎｔの対である。換言すれば、再生リストファイルは再生アイテムを識別し、各再生アイテムは一つのクリップまたはその一部を指示してクリップと連係するクリップ情報ファイルを識別する。クリップ情報ファイルは再生アイテムをソースパケットのクリップに連結するために使われる。
【００２５】
ＰＬＡＹＬＩＳＴディレクトリには実再生リスト（＊．ｒｐｌｓ）と仮想再生リスト（＊．ｖｐｌｓ）が含まれている。実再生リストはクリップだけを用いてブリッジ−クリップは用いることができない。すなわち、実再生リストはクリップの一部を参照することと見なされるので、概念的にディスク上でクリップの一部を参照することと同等なことに見なされる。仮想再生リストはクリップとブリッジ−クリップをすべて用いることができるので、実再生リストの概念は仮想再生リストと並存しない。
【００２６】
「ｉｎｆｏ．ｄｖｐ」ファイルは光ディスクに記録されるＡ／Ｖストリームの再生を管理する一般的な情報を提供する一般情報ファイルであり、さらに詳細にはＰＬＡＹＬＩＳＴディレクトリにある再生リストのファイル名を識別する再生リスト目録を含む。「ｉｎｆｏ．ｄｖｐ」ファイルについて本発明の実施形態と関連して次にさらに詳細に説明する。
【００２７】
図２は、本発明の実施形態に係る記録媒体のデータ構造を示すだけでなく、記録媒体の領域をも示している。例えば、一般情報ファイルは一般情報領域に記録され、ＰＬＡＹＬＩＳＴディレクトリはＰＬＡＹＬＩＳＴディレクトリ領域に記録され、ＰＬＡＹＬＩＳＴディレクトリ内の各再生リストは、記録媒体のＰＬＡＹＬＩＳＴ領域に記録される。図２のデータ構造を有する記録媒体に対して例示している図３に示したように、記録媒体にはファイルシステム情報領域、データベース領域、Ａ／Ｖストリーム領域が含まれる。データベース領域には一般情報ファイルと再生リスト情報が記録される領域とクリップ情報領域が含まれる。一般情報ファイルと再生リスト情報が記録される領域には、一般情報ファイル領域の一般情報ファイルと、再生リスト情報領域のＰＬＡＹＬＩＳＴディレクトリと、再生リストファイルが記録される。クリップ情報領域には、ＣＬＩＰＩＮＦディレクトリと、関連クリップ情報ファイルが記録される。Ａ／Ｖストリーム領域には様々なタイトルのＡ／Ｖストリームが記録される。
【００２８】
ビデオオーディオデータは一般に個別タイトルで編成されている。例えば、ビデオオーディオデータにより表現される異なる映画は異なるタイトルで編成されている。また、タイトルは、本がチャプター（Ｃｈａｐｔｅｒｓ）として編成されるようにいろいろなチャプターとして編成されている。
【００２９】
ＢＤ−ＲＯＭのような新しい高密度記録媒体は、格納容量が非常に大きいため、異なるタイトル、様々なバージョンのタイトル、または一タイトルの一部を格納して、再生することもできる。例えば、異なるカメラ角度のビデオデータを記録媒体に記録したり、他の実施形態としては、タイトルに対する様々なバージョンまたは異なる言語と関連した一部も記録媒体に記録することができる。さらには他の実施形態として、タイトルに対する監督のバージョンまたは映画館用バージョンも記録媒体に記録することができる。または、一タイトルの成人バージョン、青年バージョン、そして父母が制限できる少年バージョンなどをも記録媒体に記録することができる。各バージョンは異なる再生パスに相当する。このような場合のビデオデータは多重再生パスを有するビデオデータと呼ぶことが可能である。多重パスを有するビデオデータに対する前記例に限らず、本発明は多重再生パスを有するビデオデータのある類型またはそれらの組合せに対しても適用が可能である。後の実施形態で詳細に説明するが、本発明のデータ構造には、記録媒体に記録される多重再生パスを有するビデオデータの再生を管理するためのパス管理情報及び／またはナビゲーション情報が含まれる。
【００３０】
ＢＤ−ＲＯＭに記録される少なくとも一つのクリップファイル（＊．ｍ２ｔｓ）はタイトルに対応しており、クリップファイルに記録されるＡ／ＶストリームはＭＰＥＧ−２フォーマットの伝送パケットＴＰの形態を有する。多重再生パスデータストリームのＴＰには、再生パスを識別するために再生パス（例えば、他のカメラアングル）それぞれに固有のパケットＩＤ  ＰＩＤが含まれる。
【００３１】
クリップファイルに関連するクリップ情報ファイル＊．ｃｌｐｉは各再生パスのデータストリームを選択的に再生するためのパス管理情報を含む。パス管理情報はパスシーケンス番号と各再生パスに対するビデオ／オーディオＰＩＤを含むパスシーケンス情報として記録される。
【００３２】
また、クリップ情報ファイルには各再生パスのデータストリームを選択的に再生するためのサーチ情報が含まれる。例えば、クリップ情報ファイルには特定の再生パスに固有なパケットＩＤを有する伝送パケットに選択的にアクセスするための少なくとも一つのエントリーポイントマップ（Ｅｎｔｒｙ  Ｐｏｉｎｔ  Ｍａｐ；ＥＰ  Ｍａｐ）が含まれる。
【００３３】
図４Ａは、図２のデータ構造で使われるクリップ情報ファイル、ディスクデータ、及びＥＰマップに対する最初の実施形態を示したものである。ＢＤ−ＲＯＭのファイル構造に属する少なくとも一つのクリップファイルはタイトルに対応し、クリップファイルに含まれるＡ／Ｖストリームは一連のＭＰＥＧ−２フォーマットの伝送パケットＴＰとして記録される。
【００３４】
伝送パケットＴＰには、再生パスを識別するために再生パス（例えば、異なるカメラアングル）それぞれに固有のパケットＩＤ ＰＩＤが含まれる。図４Ａに示したように、クリップファイルにおけるタイトルの記録セグメント１（Ｓｅｇｍｅｎｔ＃１）には、再生パス１を指す同じ「ｖｉｄｅｏ＿ＰＩＤ＝Ａ」と「ａｕｄｉｏ＿ＰＩＤ=Ｐ」を有する単一パスＡ／ＶストリームのＴＰ（ＴＰ１）が含まれる。クリップファイルにおけるタイトルの記録セグメント２（Ｓｅｇｍｅｎｔ＃２）には３個の異なる再生パス１、２、３を指す異なる「ｖｉｄｅｏ＿ＰＩＤ＝Ａ、Ｂ、Ｃ」と「ａｕｄｉｏ＿ＰＩＤ=Ｐ、Ｒ、Ｓ」を有するＴＰが含まれる。異なる再生パスに対するＴＰは記録セグメントでインターリーブされる。
【００３５】
クリップファイルにおけるタイトルの記録セグメント３（Ｓｅｇｍｅｎｔ＃３）には単一パスＡ／ＶストリームのＴＰ（ＴＰ１）が含まれるが、すべてのＴＰ１は再生パス１を指す同じ「ｖｉｄｅｏ＿ＰＩＤ＝Ａ」と「ａｕｄｉｏ＿ＰＩＤ=Ｐ」を有する。
【００３６】
上記した３個の記録セグメントに対する単一再生パスと多重再生パスＡ／Ｖストリームの再生制御のためのパス管理情報は、クリップファイルに該当するクリップ情報ファイルにパスシーケンス情報として記録される。パスシーケンス情報には、図４Ａに示したように、パスシーケンス情報に対応するセグメントに対するセグメント番号（シーケンス番号とも称する）とビデオ／オーディオＰＩＤｓ（ｖｉｄｅｏ＿ＰＩＤとａｕｄｉｏ＿ＰＩＤ）が含まれる。
【００３７】
さらに詳細に説明すれば、記録セグメント１に対応するパスシーケンス情報＃１には、再生パス１を指す「ｖｉｄｅｏ＿ＰＩＤ＝Ａ」と「ａｕｄｉｏ＿ＰＩＤ=Ｐ」情報が含まれる。記録セグメント２に対応するパスシーケンス情報＃２には、再生パス１、２、３を指す「ｖｉｄｅｏ＿ＰＩＤ＝Ａ、Ｂ、Ｃ」と「ａｕｄｉｏ＿ＰＩＤ=Ｐ、Ｒ、Ｓ」情報が含まれる。同様に、記録セグメント３に対応するパスシーケンス情報＃３には、再生パス１を指す「ｖｉｄｅｏ＿ＰＩＤ＝Ａ」と「ａｕｄｉｏ＿ＰＩＤ=Ｐ」情報が含まれる。
【００３８】
各パスシーケンスにはその記録セグメントにある再生パスの個数と、各再生パスにある１番目の伝送パケットＴＰに対するソースパケット番号ＳＰＮに関する情報とが含まれる。例えば、パスシーケンス情報＃２にはＳＰＮ（Ａ）、ＳＰＮ（Ｂ）、ＳＰＮ（Ｃ）が含まれる。ＳＰＮ（Ａ）は再生パス１（例えば、ｖｉｄｅｏ＿ＰＩＤ＝Ａ）にある１番目のソースパケットに対するソースパケット番号であって、ＳＰＮ（Ｂ）は再生パス２（例えば、ｖｉｄｅｏ＿ＰＩＤ＝Ｂ）にある１番目のソースパケットに対するソースパケット番号であって、ＳＰＮ（Ｃ）は再生パス３（例えば、ｖｉｄｅｏ＿ＰＩＤ＝Ｃ）にある１番目のソースパケットに対するソースパケット番号である。
【００３９】
また、クリップ情報ファイルには記録セグメント＃１ないし＃３に記録される各再生パスのＴＰに選択的にアクセスするためのサーチ情報が格納される。例えば、クリップ情報ファイルにはプレゼンテーションタイムスタンプ（ＰＴＳ）をソースパケット番号（ＳＰＮ）に連結するＥＰマップが含まれる。
【００４０】
ＥＰマップはクリップファイル内の各再生パスに対して作られる。図４Ａの実施形態においては、再生パス１、２、３にそれぞれ該当するＥＰマップ１、２、３が作られる。
【００４１】
図４Ｂは、異なる再生パスに対するＥＰマップ間に存在する時間整列を示している。ＥＰマップは、再生アイテムで指摘されたように、プレゼンテーションタイムスタンプをソースパケットに連結する。さらに詳細には、プレゼンテーションタイムスタンプはソースパケットのアドレスまたは識別子に連結される。アドレスまたは識別子はソースパケット番号ＳＰＮである。図４Ｂには再生パスＡ、Ｂ、Ｃそれぞれに対してプレゼンテーションタイムスタンプ軸に沿ってソースパケット番号によってソースパケットをさらに示している。示したように、ＥＰマップ１、２、３それぞれのソースパケットは同じプレゼンテーションタイムスタンプを有する。例えば、再生パスＡのソースパケットｘ１、再生パスＢのソースパケットｙ１、そして再生パスＣのソースパケットｚ１が同じプレゼンテーションタイムスタンプＴ１を有する。すなわち、ＥＰ ｍａｐ１、２、３は時間整列される。このような時間整列のため、再生している間に再生パスが変わってもビデオデータに対してシームレスの再生が可能になる。図４では二個の同心円で再生パスの変化を図示している。示したように、ユーザーがソースパケットｙ２の再生途中に再生パスＢから再生パスＡに再生パスを変える場合、ソースパケットｙ２の再生を終えた後ソースパケットｘ３が次に再生するソースパケットになる。同様に、もしもユーザーがソースパケットｘ４の再生途中に再生パスＡから再生パスＣへ再生パス（例えば、カメラアングル）を変える場合、ソースパケットｘ４の再生を終えた後ソースパケットｚ５が再生される。本実施形態におけるソースパケット番号は単に例示であるだけである。一般に一つの再生パスのソースパケットは他の再生パスの時間整列されたソースパケットのソースパケット番号と一緒でない。
【００４２】
図５は、本発明による光ディスク記録及び再生装置に対する構成を示したものである。Ａ／Ｖエンコーダ９は、オーディオビデオデータの入力受けてエンコーディングして、コーディング情報とストリーム特性情報と共にマルチプレクサ８に出力する。マルチプレクサ８は、例えば、ＭＰＥＧ−２伝送ストリームを作るために、入力されるコーディング情報とストリーム特性情報を基礎にしてエンコーディングされたオーディオビデオデータを多重化する。ソース・パケッタイザ７はマルチプレクサから入力された伝送パケットを光ディスクのオーディオビデオフォーマットに合うソースパケットにパケット化する。図５に示したように、Ａ／Ｖエンコーダ９、マルチプレクサ８、ソース・パケッタイザ７の動作はコントローラ１０により制御される。コントローラ１０はユーザーから記録命令を受信して、Ａ／Ｖエンコーダ９、マルチプレクサ８、ソース・パケッタイザ７に制御情報を送る。例えば、コントローラ１０は、Ａ／Ｖエンコーダ９に実行するエンコーディング類型を指示して、マルチプレクサ８に作りだす伝送ストリームを指示して、ソース・パケッタイザ７にソースパケットのフォーマットを指示する。また、コントローラ１０は光ディスクにソース・パケッタイザ７の出力を記録できるようにドライブ３を制御する。
【００４３】
また、コントローラ１０は光ディスクに記録されているオーディオビデオデータの再生を管理するための管理情報を生成する。例えば、ユーザーインターフェースを介して受けた情報（ディスクに格納されていた情報、イントラネットまたはインターネットを介して提供されたコマンドに基づく情報）を基にして、コントローラ１０は光ディスクに図２、図４Ａ、及び図４Ｂのデータ構造を記録するようにドライブ３を制御する。
【００４４】
再生している間に、コントローラ１０はデータ構造を再生するようにドライブ３を制御する。すなわち、ディスクに含まれた情報とユーザーインターフェース（記録及び再生装置の操作ボタンまたはその装置と関連した遠隔操作）を介して受けたユーザー入力を基にして、コントローラ１０は光ディスクからオーディオビデオソースパケットを再生するようにドライブ３を制御する。例えば、ユーザー入力は再生するパスを指定できる。このようなユーザー入力は、例えば、コントローラ１０にあらかじめプログラムされたＧＵＩベースのメニューを介して、指定することができる。ユーザー入力と光ディスクから読み出されるパス管理情報を利用して、コントローラ１０は指定されたパスの再生を制御する。
【００４５】
例えば、クリップ情報ファイル内のパスシーケンス情報形態のパス管理情報は多重再生パスビデオデータの再生を管理するために読み出されて使用される。コントローラ１０は各パスシーケンス情報内のＰＩＤを調査して再生パスの個数を確認して、ユーザーが再生パスを選択できるようにする。選択された再生パスに対するビデオオーディオデータを再生するために、選択された再生パスに該当するＥＰマップが使われる。そして、再生している間にユーザーがパスを変更する場合、再生されているパスのＥＰマップと時間的に整列された新しいパスのＥＰマップを用いてシームレスのパス変更を行えるようにする。
【００４６】
ソース・デパケッタイザ４は再生されたソースパケットの入力を受けてＭＰＥＧ−２伝送パケットストリームのようなデータストリームに変換する。デマルチプレクサ５はデータストリームをエンコーディングされたビデオオーディオデータに逆多重化する。Ａ／Ｖデコーダ６はエンコーディングされたビデオオーディオデータをデコーディングして元来のビデオオーディオデータを生成する。再生している間に、ソース・デパケッタイザ４、デマルチプレクサ５、Ａ／Ｖデコーダ６の動作はコントローラ１０により制御される。コントローラ１０がユーザーから再生命令を受信すると、ソース・デパケッタイザ４、デマルチプレクサ５、Ａ／Ｖデコーダ６に制御情報を送る。例えば、コントローラ１０は、ソース・デパケッタイザ４にソースパケットのフォーマットを指示し、デマルチプレクサ５に逆多重化する伝送ストリームを指示し、Ａ／Ｖデコーダー６に実行するデコーディング類型を指示する。
【００４７】
図５には記録と再生装置に関して図示しているが、図５の構成要素一部だけで記録動作または再生作動だけを提供する専用記録装置または専用再生装置も可能である。
【００４８】
図６は、図２のデータ構造で使われるクリップ情報ファイル、ディスクデータ、ＥＰマップに対する２番目の実施形態を示したものである。図６の実施形態は、多重再生パス記録セグメントが多重化またはインターリーブされる方法を除いては、図４Ａ、図４Ｂの実施形態と同一である。したがって、図６の実施形態と図４Ａの実施形態の差だけを説明する。
【００４９】
図６に示したように、各再生パスに対する伝送パケットは一つまたはそれ以上のグループとして記録され、それらのグループは多重化される。また、各グループには少なくとも一つのイントラ符号化画像（Ｉ−Ｐｉｃｔｕｒｅ）が含まれる。ＴＰの各グループの１番目のＴＰがＩ−Ｐｉｃｔｕｒｅの開始伝送パケットになる。
【００５０】
図５の記録及び再生装置は、図６の実施形態に対して、図４Ａと４Ｂで説明したのと同様に作動する。
【００５１】
他の実施形態によると、ＥＰマップ１ないし３を、図７に示したように、一つのＥＰマップで管理することができる。この場合、３個の異なる再生パス内のＴＰのＰＴＳｓ とＳＰＮｓは３個の異なる再生パスのＴＰが記録される順序のような順序でインターリーブされてＥＰマップに記録される。
【００５２】
図７は、図２のデータ構造で使われるクリップ情報ファイル、ディスクデータ、ＥＰマップに対する３番目の実施形態を示したものである。図７の実施形態は、クリップ情報ファイル内に各再生パスに対するＥＰマップが含まれる代わりにクリップ情報ファイル内に一つのＥＰマップが提供されることを除いては、図６の実施形態と同一である。したがって、図７の実施形態と図６の実施形態の差だけを説明する。
【００５３】
図７に示したように、クリップ情報ファイルに記録されるＥＰマップ情報は一つのＥＰマップで管理される。異なる再生パスのＴＰのＳＰＮに連結するＰＴＳは一つのＥＰマップに含まれている。
【００５４】
図５の記録及び再生装置は、図７の実施形態に対して、図４Ａと４Ｂで説明したことと同様に作動する。しかし、他の再生方法も可能であって、本発明はここに限られない。
【００５５】
したがって、前記のように構成される本発明は、多重再生パスをベースにしてビデオデータの再生を管理できるようにしたので、ユーザーの嗜好や便宜に合せてビデオデータを再生できる柔軟性を提供する。
【００５６】
以上、説明した本発明の望ましい実施形態は例示の目的のために開示されたものであって、ＢＤ−ＲＯＭ以外の他の光ディスクにも拡大適用が可能であり、また当業者ならば以下添付された特許請求範囲に開示された本発明の技術的思想とその技術的範囲内において、多様な他の実施形態を改良、変更、代替または付加などが可能である。
【図面の簡単な説明】
【００５７】
【図１】再記録可能ブルーレイディスク（ＢＤ−ＲＥ）の規格による再記録可能光ディスクのファイルまたはデータ構造を示したものである。
【図２】本発明による記録媒体のファイルまたはデータ構造に対する実施形態を示したものである。
【図３】図２のデータ構造を有する記録媒体に対する実施形態を示したものである。
【図４Ａ】図２のデータ構造で使われるクリップ情報ファイル、ディスクデータ、ＥＰマップに対する１番目の実施形態を示したものである。
【図４Ｂ】異なる再生パスのＡ／Ｖストリームに対するＥＰマップ間に存在する時間整列を示したものである。
【図５】本発明による光ディスク記録及び再生装置に対する構成を示したものである。
【図６】図２のデータ構造で使われるクリップ情報ファイル、ディスクデータ、ＥＰマップに対する２番目の実施形態を示したものである。
【図７】図２のデータ構造で使われるクリップ情報ファイル、ディスクデータ、ＥＰマップに対する３番目の実施形態を示したものである。
【図１】
0004560402.tif 000002
【図２】
0004560402.tif 000003
【図３】
0004560402.tif 000004
【図４Ａ】
0004560402.tif 000005
【図４Ｂ】
0004560402.tif 000006
【図５】
0004560402.tif 000007
【図６】
0004560402.tif 000008
【図７】
0004560402.tif 000009